(57)【要約】      （修正有）【課題】構成部品の寸法最適化を図り、構造がシンプルで部品数が少なく、小型化に適したロータリースイッチを提供する。【解決手段】回転して停止した位置に応じた入力値を入力するロータリースイッチであって、使用者に回転操作されるロータ１０と、ロータの回転軸に対して垂直な位置で、該ロータを保持する電子基板２０とを有し、ロータは、略長方形の切替平板片１１を備え、切替平板片は、長辺の一方の平面上に共通接点用電極を備え、他方の平面上に切替接点用電極を備え、電子基板は、略半円の円環形状の共通接点と、共通接点と同心で該共通接点と反対側の半円部分に略円弧形状の複数の切替接点と、を備え、共通接点は、共通接点用電極と常時、電気的に接続し、複数の切替接点のいずれか一つは、使用者の回転操作に応じて切替接点用電極と電気的に接続することによって、回転して停止した位置に応じた入力値を入力する、ことを特徴とする。【選択図】図２
0003212202.tif 000002
【実用新案登録請求の範囲】
【請求項１】
回転して停止した位置に応じた入力値を入力するロータリースイッチであって、
使用者に回転操作されるロータと、
前記ロータの回転軸に対して垂直な位置で、該ロータを保持する電子基板と
を有し、
前記ロータは、略長方形の切替平板片を備え、
前記切替平板片は、長辺の一方の平面上に共通接点用電極を備え、他方の平面上に切替接点用電極を備え、
前記電子基板は、略半円の円環形状の共通接点と、前記共通接点と同心で該共通接点と反対側の半円部分に略円弧形状の複数の切替接点と、を備え、
前記共通接点は、前記共通接点用電極と常時、電気的に接続し、
複数の前記切替接点のいずれか一つは、前記使用者の回転操作に応じて前記切替接点用電極と電気的に接続することによって、回転して停止した前記位置に応じた前記入力値を入力する、
ことを特徴とするロータリースイッチ。
【請求項２】
前記切替平板片の前記共通接点用電極は、球面の一部の表面に対応した凸形状であり、
前記切替平板片の前記切替接点用電極は、球面の一部の表面に対応した凸形状である、
ことを特徴とする、請求項１に記載のロータリースイッチ。
【請求項３】
前記ロータおよび前記電子基板を固定する固定部材をさらに有し、
前記固定部材は、前記ロータの前記回転軸を中心に、略円形に配置された複数の凹部を備え、
前記ロータは、略アーチ形状の停止部を備え、
前記停止部は、前記使用者の回転操作に応じて、略アーチ形状の両端のいずれか一方を前記凹部に引っ掛けて、前記ロータの回転位置を所望の位置に停止し、所望の前記入力値を入力する、
ことを特徴とする、請求項１または請求項２に記載のロータリースイッチ。
【考案の詳細な説明】
【技術分野】
【０００１】
本考案は、ロータを回転して停止した位置に応じた入力値を入力するスイッチ等として用いられるロータリースイッチに関するものである。
【背景技術】
【０００２】
プリント基板を用いた電気回路に切り替えスイッチや可変抵抗器等が含まれる場合には、小型のスイッチや可変抵抗器等をプリント基板に取り付けてパターンに接続する構造が一般的である。しかしながら、このような構造であると、必要な部品点数や組立工数が増え、電気回路が収納されたユニット全体を小型化することが困難な場合や製造コストがかかる場合がある。特許文献１では、ベースに形成された取付穴に可動接触部を有するロータを回転可能に支持すると共に、上記可動接触部に対応した固定接触部を印刷パターンによって形成したプリント基板を上記ベースに一体に固定することにより、ロータを回転させることによって所定の機能が発揮される電気部品を構成することを特徴とする回転操作式電気部品の組立構造（ロータリースイッチ）に関する技術を開示している。特許文献２では、共通電極と、複数の停止位置決め電極のそれぞれと一体的に成形された複数の外部端子をインサートモールドし、前記複数の停止位置決め電極が回転停止用間隙を有して同心円状に表面に露出された状態で配設された基板と、前記共通電極と前記停止位置決め電極のそれぞれに摺接する複数の接点部を有し、前記基板上に回転可能に設けられた摺動子とを備え、前記摺動子の接点部の一つが常に前記共通電極に摺接し、他の接点部の少なくともいずれか一つが停止位置決め電極の少なくとも一つに摺接していること、を特徴とするロータリースイッチに関する技術を開示している。
【先行技術文献】
【特許文献】
【０００３】
【特許文献１】特開平１１−２８８６４２号公報
【特許文献２】特開平５−２９０６７６号公報
【考案の概要】
【考案が解決しようとする課題】
【０００４】
特許文献１および特許文献２の技術では、たとえば複数個並べて製造する際に、ロータリースイッチを更に小型化することが困難な場合がある。また、近年、更なる電子機器の小型化、軽量化、高性能化、多機能化を目指し、超小型化、高密度実装対応、市場価格の動向に見合った低コスト等のニーズに見合った小型のロータリースイッチとして、構造がシンプルで部品数が少ないロータリースイッチが求められている。
【０００５】
本考案は、電子部品が実装される電子基板に、常時電気的に接続する共通接点と、使用者の回転操作に応じて電気的に接続する切替接点とを同一面上に配置することによって、構成部品の寸法最適化を図り、構造がシンプルで部品数が少なく、小型化に適したロータリースイッチを提供することを目的とする。
【課題を解決するための手段】
【０００６】
上記課題を解決するために、本考案の一つの実施形態は、回転して停止した位置に応じた入力値を入力するロータリースイッチであって、使用者に回転操作されるロータと、前記ロータの回転軸に対して垂直な位置で、該ロータを保持する電子基板とを有し、前記ロータは、略長方形の切替平板片を備え、前記切替平板片は、長辺の一方の平面上に共通接点用電極を備え、他方の平面上に切替接点用電極を備え、前記電子基板は、略半円の円環形状の共通接点と、前記共通接点と同心で該共通接点と反対側の半円部分に略円弧形状の複数の切替接点と、を備え、前記共通接点は、前記共通接点用電極と常時、電気的に接続し、複数の前記切替接点のいずれか一つは、前記使用者の回転操作に応じて前記切替接点用電極と電気的に接続することによって、回転して停止した前記位置に応じた前記入力値を入力する、ことを特徴とするロータリースイッチを提供する。
【０００７】
本考案の他の実施形態は、上記のロータリースイッチであって、前記切替平板片の前記共通接点用電極は、球面の一部の表面に対応した凸形状であり、前記切替平板片の前記切替接点用電極は、球面の一部の表面に対応した凸形状である、ことを特徴とするロータリースイッチであってもよい。
【０００８】
本考案の他の実施形態は、上記のいずれか１つのロータリースイッチであって、前記ロータおよび前記電子基板を固定する固定部材をさらに有し、前記固定部材は、前記ロータの前記回転軸を中心に、略円形に配置された複数の凹部を備え、前記ロータは、略アーチ形状の停止部を備え、前記停止部は、前記使用者の回転操作に応じて、略アーチ形状の両端のいずれか一方を前記凹部に引っ掛けて、前記ロータの回転位置を所望の位置に停止し、所望の前記入力値を入力する、ことを特徴とするロータリースイッチであってもよい。
【考案の効果】
【０００９】
本考案に係るロータリースイッチによれば、電子部品が実装される電子基板に、常時電気的に接続する共通接点と、使用者の回転操作に応じて電気的に接続する切替接点とを同一面上に配置することによって、構成部品の寸法最適化を図り、構造がシンプルで部品数が少なく、小型化に適したロータリースイッチを提供することができる。
【図面の簡単な説明】
【００１０】
【図１】本考案の実施形態に係るロータリースイッチの一例（４連の場合）を説明する説明図である。
【図２】本考案の実施形態に係るロータリースイッチの一例を説明する概略組み立て図である。
【図３】本考案の実施形態に係るロータリースイッチの切替平板片の一例を説明する説明図である。
【図４】本考案の実施形態に係るロータリースイッチの電子基板の導線パターンの一例を説明する説明図である。
【図５】本考案の実施形態に係るロータリースイッチのロータの一例を説明する説明図である。
【図６】本考案の実施形態に係るロータリースイッチの固定部材（４連の場合）の一例を説明する説明図である。
【図７】本考案の実施形態に係るロータリースイッチの一例（４連の場合）を説明する説明図である。
【考案を実施するための形態】
【００１１】
実施形態に係るロータリースイッチの例を用いて、本考案を説明する。なお、本考案は、以後に説明するロータリースイッチ以外でも、回転した位置によって入力値を決定する入力装置（部品、機器、器具、スイッチ、電子部品など）であれば、いずれのものにも用いることができる。なお、ロータリースイッチの素材、色、外形は、特に限定されない。ロータリースイッチの色は、透明、半透明、色付きのものであってもよい。ロータリースイッチの色は、例えば使用者（消費者）の趣味趣向に合わせた柄のもの（例えば透明、絵柄、広告宣伝表記など）であってもよい。
【００１２】
以後に、本考案を説明する。
【００１３】
図１乃至図７を用いて、本考案の実施形態に係るロータリースイッチの構成を説明する。ここで、図１（ａ）は、本考案の実施形態に係るロータリースイッチ１００の一例（４連の場合）を説明する概略正面図である。図１（ｂ）は、本考案の実施形態に係るロータリースイッチ１００の一例（４連の場合）を説明する概略縦断面図である。図２は、本考案の実施形態に係るロータリースイッチ１００の一例を説明する概略組み立て図である。図３（ａ）は、本考案の実施形態に係るロータリースイッチ１００のロータ１０の切替平板片１１の一例を説明する概略平面図である。図３（ｂ）は、本考案の実施形態に係るロータリースイッチ１００のロータ１０の切替平板片１１の一例を説明する概略正面図である。図４は、本考案の実施形態に係るロータリースイッチ１００の電子基板２０の導線パターン２１の一例を説明する説明図である。図５（ａ）は、本考案の実施形態に係るロータリースイッチ１００のロータ１０の一例を説明する概略斜視図である。図５（ｂ）は、本考案の実施形態に係るロータリースイッチ１００のロータ１０の停止部１２の一例を説明する拡大図である。図６（ａ）は、本考案の実施形態に係るロータリースイッチ１００の固定部材３０の一例を説明する概略正面図である。図６（ｂ）は、本考案の実施形態に係るロータリースイッチ１００の固定部材３０の凹部３１の一例を説明する概略底面図である。図７は、本考案の実施形態に係るロータリースイッチ１００の一例を説明する概略底面図である。なお、図１等に示すロータリースイッチの構成等は一例であり、本考案は図１等に示すロータリースイッチ等に限定されるものではない。また、本考案に係るロータリースイッチは、図１に示す４連以外（例えば３連以下または５連以上）であってもよい。
【００１４】
本実施形態に係るロータリースイッチ１００は、使用者がロータを回転した場合に、回転して停止した位置に応じた入力値を入力するもの（スイッチなど）である。以下にて、各構成を具体的に説明する。
【００１５】
図１に示すように、本考案に係るロータリースイッチ１００は、使用者に回転操作されるロータ１０と、ロータ１０を保持する電子基板２０と、ロータ１０および電子基板２０を固定する固定部材３０とを有する。ロータリースイッチ１００は、使用者がロータ１０を所望の角度で回転した場合に、ロータ１０が回転して停止した位置に応じた入力値を電子基板２０に入力する。なお、ロータリースイッチ１００の電子基板２０は、電子部品や電子機械装置に予め搭載されている基板を利用してもよい。
【００１６】
ロータ１０は、使用者が回転操作する操作部材である。図１（ｂ）に示すように、ロータ１０は、本実施形態では、電子基板２０に回転軸１３（図５）を挿入して、電子基板２０に配置される。本考案に係るロータ１０は、図２および図３に示すように、使用者の回転操作に連動して移動する略長方形の切替平板片１１を備える。また、ロータ１０は、図５（ａ）および図５（ｂ）に示すように、略アーチ形状の停止部１２を備える。ロータ１０は、使用者の回転操作に応じて、停止部１２の略アーチ形状の両端のいずれか一方を凹部３１（後述する図６）に引っ掛けて、ロータ１０の回転位置を所望の位置に停止し、所望の入力値を電子基板２０に入力する。なお、ロータ１０の上部は、外部からねじ回しで操作出来るようスリットが設けられている。このスリットは、ダイアル形状のツマミに置き換えることも可能である。
【００１７】
切替平板片１１は、図３（ａ）および図３（ｂ）に示すように、長辺の一方の平面上に共通接点用電極１１Ａを備え、他方の平面上に切替接点用電極１１Ｂを備え、その中央部に回転軸１３（図５）を貫通させる回転軸用貫通口１１Ｃを備える。図３（ａ）および図３（ｂ）に示すように、切替平板片１１の共通接点用電極１１Ａは球面の一部の表面に対応した凸形状であり、切替接点用電極１１Ｂは球面の一部の表面に対応した凸形状である。これにより、切替平板片１１は、電極（共通接点用電極１１Ａ、切替接点用電極１１Ｂ）が球面のため、使用者の回転操作に連動して、電子基板２０の表面で電気的に接触（接続）し続けながら移動することができる。ここで、本考案に係る切替平板片１１（共通接点用電極１１Ａ、切替接点用電極１１Ｂ）の形状は、設計、実験、計算などで予め定められる形状とすることができる。また、本考案に係る切替平板片１１（共通接点用電極１１Ａ、切替接点用電極１１Ｂ）は、プレス成形などで製造することができ、弾性があり電気的抵抗の少ない導体を用いることができる。
【００１８】
電子基板２０は、使用者がロータ１０を回転した場合に、回転して停止した位置に応じた入力値を処理する基板である。本考案に係る電子基板２０は、ロータ１０の回転軸に対して垂直な位置で、ロータ１０を保持する。なお、電子基板２０の入力値の処理方法は公知の技術を用いることができる。
【００１９】
図４に示すように、本考案に係る電子基板２０は、略半円の円環形状の共通接点２１Ａと、共通接点２１Ａと同心で共通接点２１Ａと反対側の半円部分に略円弧形状の複数の切替接点２１Ｂ（２１Ｂａ乃至２１Ｂｅ）と、ロータ１０の回転軸１３（図５）を挿入して回転可能に保持する回転軸用貫通穴２１Ｃを備える。ここで、共通接点２１Ａは、共通接点用電極１１Ａ（図３）と常時、電気的に接続している。また、複数の切替接点２１Ｂ（２１Ｂａ乃至２１Ｂｅ）のいずれか一つは、使用者の回転操作に応じて、切替接点用電極１１Ｂ（図３）と電気的に接続することによって、ロータ１０が回転して停止した位置に応じた入力値を電子基板２０に入力する。
【００２０】
固定部材３０は、ロータ１０および電子基板２０を固定する部材である。固定部材３０は、図２および図６に示すように、ロータ１０の回転軸１３（図５）を中心に、略円形に配置された複数の凹部３１を備える。図７に示すように、本考案に係るロータリースイッチ１００は、使用者の回転操作に応じて、ロータ１０の停止部１２の略アーチ形状の両端のいずれか一方を凹部３１に引っ掛けて、ロータ１０の回転位置を所望の位置に停止し、所望の入力値を電子基板２０に入力する。すなわち、バネ性をもたせ停止部１２と鋸状の凹部３１とがかみ合って、クリック機能を構成する。ここで、クリック機能は、１個でも良いが、上記例では左右対称に配置した振子型のクリック機能（停止部１２）により、左右の回転に対してクリックの感触を均等にすることができる。なお、凹部３１および停止部１２の形状は、設計、実験、計算などで予め定められる形状とすることができる。また、停止部１２は、ロータ１０の回転の始点と終点を決めるローターストッパーなどを更に設けてもよい。
【００２１】
以上のとおり、本考案に係るロータリースイッチによれば、電子部品が実装される電子基板に、常時電気的に接続する共通接点と、使用者の回転操作に応じて電気的に接続する切替接点とを同一面上に配置することによって、構成部品の寸法最適化を図り、構造がシンプルで部品数が少なく、小型化に適したロータリースイッチを提供することができる。また、本実施形態では４連の例を説明したが、本考案に係るロータリースイッチによれば、連装の個数を制限する要素はなく、樹脂カバーの形状変更で、プリント基板上に自由に配置することができる。
【００２２】
以上のとおり、本考案に係る実施形態について説明したが、本考案は上記の実施形態に限定されるものではない。すなわち、本考案は、実用新案登録請求の範囲に記載の内容に基づいて、様々に変形、変更又はその他任意に改変され得る。
【符号の説明】
【００２３】
１００，１００Ｕ  ：  ロータリースイッチ
１０  ：  ロータ
１１  ：  切替平板片
１１Ａ：  共通接点用電極
１１Ｂ：  切替接点用電極
１１Ｃ：  回転軸用貫通口
１２  ：  停止部
１３  ：  回転軸
２０  ：  電子基板
２１  ：  導線パターン
２１Ａ：  共通接点
２１Ｂ，２１Ｂａ，２１Ｂｂ，２１Ｂｃ，２１Ｂｄ，２１Ｂｅ：  切替接点
２１Ｃ：  回転軸用貫通穴
３０  ：  固定部材
３１  ：  凹部
【図１】
0003212202.tif 000003
【図２】
0003212202.tif 000004
【図３】
0003212202.tif 000005
【図４】
0003212202.tif 000006
【図５】
0003212202.tif 000007
【図６】
0003212202.tif 000008
【図７】
0003212202.tif 000009